(57)【要約】【課題】比較的同一の工事現場において使用する機会の多い探査棒又は探針棒の機能、接地極の機能、及びロードコーンのコーンバーの固定機能を備えた便利な多種対多様棒を提供する。【解決手段】少なくとも外周が導体である棒本体１の下端１ａを円錐形状とし、上端にハドル２が設けられ、当該ハンドル２は棒本体１の左右に延伸され、一方は一定長水平に伸び、その後斜め下方に湾曲形状に折り返した湾曲部２ａを有してその端部が棒本体１に接して固定された形状であり、他方は一定長水平に伸びてその後斜め下方に湾曲形状に折り返した湾曲部２ｂを設け、その端部２ｃと前記棒本体１の間に開口部３を有する形状である。【選択図】        図１
0003224773.tif 000002
【実用新案登録請求の範囲】
【請求項１】
少なくとも外周が導体である棒本体の下端を円錐形状とし、上端にハンドルが設けられ、当該ハンドルは棒本体の左右に延伸され、一方は一定長水平に伸び、その後斜め下方に湾曲形状に折り返してその端部が棒本体に接して固定された形状であり、他方は一定長水平に伸びてその後斜め下方に湾曲形状に折り返され、その端部と前記棒本体の間が開口されている形状であり、前記棒本体は地中を推進可能な強度を有することを特徴とする、多種多様棒。
【請求項２】
前記ハンドルが異形棒鋼であることを特徴とする、請求項１に記載の多種多様棒。
【請求項３】
前記棒本体が丸鋼であることを特徴とする、請求項１又は２に記載の多種多様棒
【請求項４】
前記棒本体がハンドルの中心位置であることを特徴とする、請求項１〜３のいずれかに記載の多種多様棒。
【請求項５】
前記棒本体の下端の円錐形状の先端角度が８０度であることを特徴とする、請求項１〜４のいずれかに記載の多種多様棒。
【考案の詳細な説明】
【技術分野】
【０００１】
この考案は、探針棒、接地棒、又はコーンバー固定棒など、種々の用途に使用できる多種多様棒に関するものである。
【背景技術】
【０００２】
工場の敷地内などでケーブルを埋設又は布設する電気設備工事の際には、探針棒による掘削前の土中の埋設物の探査や接地抵抗値又は大地抵抗値の測定等を実施している。また、屋外での作業では、屋外の一部を資材置き場として使用していることが多く、その際には、ロードコーン、コーンバーによって区画を作成し、当該区画内に資材を置き、立ち入り禁止の措置をとっている。その際２個のロードコーンに両端を係止したコーンバーが外れないように種々の措置をとっている。
【０００３】
前記探針棒は、掘削現場の地中埋設物の状況を探査するために、先端が尖った棒状部材を土中に突き刺して使用するものである。特許文献1のものは、その改良型のもので、探査棒本体をパイプ状にし、先端ノズルから高圧水を土中に流して付近の土砂を崩し、探査棒の挿入労力を軽減させ、また、探査棒本体の中間外周に膨出した止め部材を設け、探査棒本体の上端の取っ手と前記止め部材との間の探査棒本体外周に、摺動自在な筒形の重り部材を被せて当該重り部材を上下させて前記止め部材を叩くように上下させることで当該探査棒を土中に打ち込むものである。
【０００４】
また、変圧器、避雷器、高圧機器などの電力設備を備える電柱などは、落雷や漏電による事故を防ぐため接地対策が義務付けられており、接地極を埋設する。そしてその埋設した接地極の接地抵抗値を測定しなければならない。接地極の抵抗値は２本の補助極を利用し、電極間に電流を流し、電位差を見ることで、接地抵抗値を測定する。当該測定に当たり、補助極を地面に打ち込むが、測定器に付属する補助極棒は、短くて打ち込みにくい。
【０００５】
また、接地設計では、その土壌がもつ抵抗値を測定する必要がある。土壌はその種類によって固有の抵抗値を持っており、この固有抵抗値を地表面から深さ方向に測定する方法が「ウエンナー電極法」である。この測定は４つの電極を地表面に打ち込み、その電極間の距離が、地層の深さ方向の距離に相当する。そのため４極間の距離を変えながら測定を実施する。従って、測定極をその都度打ち込むこととなる。
【０００６】
特許文献２の作業車の保安用接地棒接地表示装置の接地棒は、上記前者のものであるが、地面に挿入された保安用接地棒の接地抵抗状態を確認するためのもので、絶縁部によって絶縁された接地部と接地抵抗測定部とから成るアース棒を地面に差し込むことにより前記接地部の接地抵抗を測定するものである。
【０００７】
また、前記コーンバーの支持に関しては、特許文献３に示すものがある。これは、上部にホヤ灯と一体となった開閉自在なリング部を上端に有する筒のパイプの下端にポリタンク重石を設けたコーンバー用ガードスタンドである。
【先行技術文献】
【特許文献】
【０００８】
【特許文献１】実開平７−８７９０号公報
【特許文献２】実開平６−７２７５６号公報
【特許文献３】実開平６−３０２１１号公報
【考案の開示】
【考案が解決しようとする課題】
【０００９】
前記特許文献１の探査棒は、探査の機能を有するが、接地極の機能やロードコーンのコーンバーを支持固定する機能は有していない。また、前記特許文献２の接地棒は、接地棒としての機能は有するが、探査棒又は探針棒にすることはできない。また、ロードコーンのコーンバーを支持固定する機能は有していない。また、前記特許文献３のコーンバー用ガードスタンドはコーンバーの支持は可能であるが、探査棒の機能や接地極としての機能はない。
【００１０】
従って、これらの作業に際しては、それぞれの用途に合ったものを用意し、それぞれの部材を使用しなければならず、取り扱いが不便である。
【００１１】
この考案は、上記の点に着目し、比較的同一の工事現場において使用する機会の多い探査棒又は探針棒の機能、接地極の機能、及びロードコーンのコーンバーの固定機能を備えた便利な多種対多様棒を提供することを目的としたものである。
【課題を解決するための手段】
【００１２】
請求項１の考案は、少なくとも外周が導体である棒本体の下端を円錐形状とし、上端にハンドルが設けられ、当該ハンドルは棒本体の左右に延伸され、一方は一定長水平に伸び、その後斜め下方に湾曲形状に折り返してその端部が棒本体に接して固定された形状であり、他方は一定長水平に伸びてその後斜め下方に湾曲形状に折り返され、その端部と前記棒本体の間が開口されている形状であり、前記棒本体は地中を推進可能な強度を有する、多種多様棒とした。
【００１３】
また、請求項２の考案は、前記ハンドルが異形棒鋼である、請求項１に記載の多種多様棒とした。
【００１４】
また、請求項３の考案は、前記棒本体が丸鋼である、請求項１又は２に記載の多種多様棒とした。
【００１５】
また、請求項４の考案は、前記棒本体がハンドルの中心位置である、請求項１〜３のいずれかに記載の多種多様棒とした。
【００１６】
また、請求項５の考案は、前記棒本体の下端の円錐形状の先端角度が８０度である、請求項１〜４のいずれかに記載の多種多様棒とした。
【考案の効果】
【００１７】
請求項１の考案によれば、当該多種多様棒は地中に埋設物があるか否かを、地上からハンドルを用いて下部を地中に突き刺して調べる探針棒又は探査棒に使用できる。また、棒本体の少なくとも外周面が導体であるため接地棒として使用できる。また、間隔を空けて設けた２個のロードコーンの頂部に渡したコーンバーにハンドルを係止して下端部を土中に突き刺し、コーンバーの固定棒とすることもできる。この様に、比較的同一の工事現場等において使用する機会の多い探針棒、接地棒、コーンバーの支柱に使用できるため、当該多種多様棒を用意すれば良く、便利である。
【００１８】
そして、棒本体の頂部に設けたハンドルが両側に広がっており、左右のハンドルは棒本体の下部方向に伸びているため、当該ハンドルを持って棒本体の下部を土中に埋設し易い。
【００１９】
また、請求項２の考案によれば、ハンドルの部分を異形棒鋼としたため、強度が高く、当該多種多様棒を地中に埋設する際、ハンマー等でハンドルを叩くことができる。また、作業員が地中へ素手で貫入する際、手が滑らず力が入れやすい。
【００２０】
また、請求項３の考案によれば、棒本体が丸鋼であるため、当該多種多様棒をまっすぐ地中に埋設し易い。
【００２１】
また、請求項４の考案によれば、ハンドルの中心位置に棒本体が位置しているためハンドルの上からハンマー等で叩いて地中に埋設させる際、ハンドルの中央部を叩けば棒本体にその力が伝わりやすく、埋設作業が容易にかつ迅速にできる。
【００２２】
また、請求項５の考案によれば、棒本体の下端の円錐形状の先端角度が８０度であるため、棒本体を地中に埋設する際、土中を推進しやすく、かつ、棒本体の下端が埋設物に当たった際埋設物を傷つける恐れがない。
【図面の簡単な説明】
【００２３】
【図１】この考案の実施の形態例１の多種多様棒の正面図である。
【図２】この考案の実施の形態例１の多種多様棒の下端部を示す図で、（ａ）図は図１の棒本体の下端部の拡大正面図、（ｂ）図は棒本体を異形棒鋼とした場合の下端部の拡大正面図である。
【図３】この考案の実施の形態例１の多種多様棒のハンドルを異形棒鋼とした拡大一部正面図である。
【図４】この考案の実施の形態例１の多種多様棒を探針棒として使用した場合の使用状態を示す正面図である。
【図５】この考案の実施の形態例１の多種多様棒を接地極の接地抵抗値の測定の際の補助極棒として使用した場合の使用状態を示す正面図である。
【図６】この考案の実施の形態例１の多種多様棒をコーンバーの固定棒として使用した場合の使用状態を示す正面図である。
【考案を実施するための形態】
【００２４】
（実施の形態例１）
この考案の実施の形態例１の多種多様棒Ａを図１〜図６に基づいて説明する。
【００２５】
この多種多様棒Ａは、鉄筋製の棒本体１と、棒本体１の頂部に溶接して設けた鉄筋製のハンドル２から構成されている。
【００２６】
前記棒本体１は、導電性を高めるため銅を外周に被覆したものである。外周に被覆するものはアルミであっても良く、また、他の導電性の材質でもよい。また、棒本体１の直径は１０〜１６ｍｍである。さらに、棒本体１の下端１ａは、図２の（ａ）図に示すように、円錐形状になっており、円錐の角度は８０°前後が好ましい。これにより、当該多種多様棒Ａの下端１ａが地中の埋設物にあたっても、下端１ａの尖端が左程鋭くないため埋設物を傷つける恐れが少ない。また、尖端となっているため土中を推進しやすい。また、当該棒本体１は外周のみならず、すべて導電性の部材で構成されていてもよい。
【００２７】
前記ハンドル２は、棒本体１の上端にその中央部が溶接されたものであり、水平な中央部が左右に伸びており、その一方は水平に一定長伸び、その後斜め下方に湾曲形状に折り返した湾曲部２ａを経てその端部が、前記中央部より下の棒本体１に固定された閉鎖形状であり、他方は水平に一定長伸び、その後斜め下方に湾曲形状に折り返した湾曲部２ｂを経て、その端部２ｃと棒本体１との間に開口部３を設けている。従って、ハンドル２の一方はトラス構造になっている。また。このようなハンドル２の少なくとも外周を導電性部材で被っても良い。
【００２８】
前記棒本体１及びハンドル２は、その一方又は双方が図２の（ｂ）図及び図３に示すように、異形棒鋼から成るものでもよい。このような異形棒鋼であれば、強度が高く、ハンドル２を上から叩いて地中に押し込む場合、衝撃荷重に耐えられる。
【００２９】
以上の構造の当該多種多様棒Ａは、図４に示すように、地表面から掘削穴を掘る際、土中に埋設物４があるか否かの探査をする場合に、作業員が当該多種多様棒Ａのハンドル２に手をかけて、その下端１ａから土中に押し込む。その際、地盤が固い等、作業員の素手では押し込めない場合、ハンマー等でハンドル２の上から叩いて土中にハンドルＡの下部を押し込む。
【００３０】
また、接地極５を土中に埋設するに当たって、接地抵抗値を測定するが、その際の補助極として多種多様棒Ａを２本使用し、これらを図５に示すように地面に打ち込む。この地面への打ち込みについても、当該多種多様棒Ａは上端にハンドル２を有するため、当該ハンドル２を用いて地面に打ち込むのが容易である。
【００３１】
そして、接地極５と２本の補助極棒である多種多様棒Ａ間に一定の電流を流し、これらの間の電位差をみることで接地極５の接地抵抗値を測定する。また、上記接地極５、上記補助極としての多種多様棒Ａ、Ａはそれぞれ測定器８の端子Ｅ、端子Ｐ及び端子Ｃに接続される。
【００３２】
次に、当該多種多様棒Ａをコーンバーの支持柱として使用する場合について図６に示す。
【００３３】
工事現場等で、立ち入り禁止箇所を区画する場合、図６に示すように、隣接するロードコーン６、６の頂部に、両端の環部７ａをかけてコーンバー７を渡している。この場合に、コーンバー７は両端の環部７ａを各ロードコーン６に掛けているだけなので、小さな衝撃で外れ易い。
【００３４】
そこで、当該多種多様棒Ａを用いてコーンバー７の中間部を押さえてやると、コーンバー７はむやみに外れない。その場合、当該多種多様棒Ａのハンドル２の開口部３を有する側のハンドル２の内部に前記コーンバー７を入れて、当該多種多様棒Ａを地面に突き刺せば固定柱となる。
【００３５】
また、当該多種多様棒Ａの下部を地中に埋設した状態から引き抜く場合、作業員がハンドル２を手で持って引き抜く。しかしながら、作業員の素手で引き抜けない場合は、スリングベルトを多種多様棒Ａにかけクレーン車等を用いて引き抜く。その際、当該多種多様棒Ａのハンドル２の閉鎖環状部にスリングベルを掛けると、スリングベルトが抜けにくくなる。
【００３６】
以上の様に、当該多種多様棒Ａがあれば、掘削工事現場において、探査棒又は探針棒、接地棒として使用でき、また、区画をする際のロードコーンのコーンバーの押さえ棒としても使用でき便利である。
【符号の説明】
【００３７】
Ａ        多種多様棒
１        棒本体                    １ａ    下端
２        ハンドル                  ２ａ    湾曲部
２ｂ      湾曲部                    ２ｃ    端部
３        開口部                    ４      埋設物
５        接地極                    ６      ロードコーン
７        コーンバー                ７ａ    環部
８        測定器
【図１】
0003224773.tif 000003
【図２】
0003224773.tif 000004
【図３】
0003224773.tif 000005
【図４】
0003224773.tif 000006
【図５】
0003224773.tif 000007
【図６】
0003224773.tif 000008